(57)【要約】【課題】本発明は、首振り手段４の更なる可動性の向上を目的とするものである。【解決手段】そしてこの目的を達成するために本発明は、球体２９が装着される球装着部分３２は、リング体２８に設けた円柱形状の孔部３３と、この孔部３３の内面上部の一方側から孔部３３の中心方向へ伸びた第１の支持部３４と、孔部３３の内面下部の一方側から孔部３３の中心方向へ伸びた第２の支持部３５とからなる。孔部３３の上下方向の寸法は、球体２９の直径寸法より小さく、孔部３３の水平方向の内径寸法は、球体２９の直径寸法より大きく、孔部３３の一方側に位置する第１の支持部３４の先端である第１の先端部３６と、孔部３３の他方側の内面上部との距離は、球体２９の直径寸法より小さく、孔部３３の他方側に位置する第２の支持部３５の先端である第２の先端部３７と、孔部３３の一方側の内面下部との距離は、球体２９の直径寸法より小さいことを特徴とするものである。【選択図】図２
2014190221.tif 000002
【特許請求の範囲】
【請求項１】
基台ユニットと、この基台ユニットの上部に回転自在に設けた送風手段と、この送風手段を回動する首振り手段とからなり、前記首振り手段は、前記送風手段に設けたギアー部と、このギアー部を回転させる首振モータ部と、前記送風手段と前記基台ユニットとの間に設けたベアリング部とからなり、このベアリング部は、上下方向が軸方向である円環板形状のリング体と、このリング体に装着された複数の球状の球体とを備え、これらの球体は、前記リング部の複数の球装着部分に装着され、これらの球装着部分は、前記リング体に設けた上下方向が軸方向である円柱形状の孔部と、この孔部の内面上部の一方側から前記孔部の中心方向へ伸びた第１の支持部と、前記孔部の内面下部の一方側から前記孔部の中心方向へ伸びた第２の支持部とからなり、前記孔部の上下方向の寸法は、前記球体の直径寸法より小さく、前記孔部の水平方向の内径寸法は、前記球体の直径寸法より大きく、前記孔部の一方側に位置する前記第１の支持部の先端である第１の先端部と、前記孔部の他方側の内面上部との距離は、前記球体の直径寸法より小さく、前記孔部の他方側に位置する前記第２の支持部の先端である第２の先端部と、前記孔部の一方側の内面下部との距離は、前記球体の直径寸法より小さいことを特徴とする送風装置。
【請求項２】
円柱形状の前記孔部は、前記孔部の一方側に位置すると共に水平断面形状が半円形状である半円柱形状の一方側孔部と、前記孔部の他方側に位置すると共に水平断面形状が半円形状である半円柱形状の他方側孔部とからなり、前記第１の支持部は、一方側孔部内に位置し、前記第２の支持部は、他方側孔部内に位置することを特徴とする請求項１に記載の送風装置。
【請求項３】
前記リング体には、前記孔部から前記リング体の円周方向へ伸びるスリット部を有することを特徴とする請求項１または２に記載の送風装置。
【請求項４】
前記スリット部は、前記孔部の中心から前記リング体の円周方向へ伸びることを特徴とする請求項３に記載の送風装置。
【請求項５】
前記一方側孔部は、前記リング体の円周方向における孔部の中心から一方側に位置し、前記他方側孔部は、リング体の円周方向における孔部の中心から他方側位置する構成であることを特徴とする請求項３または４に記載の送風装置。
【請求項６】
複数の前記球体を装着した前記リング体は、前記送風手段の下部に設けた下方へ開口した円環状の第１の溝と、前記基台ユニットの上部に備えた上方へ開口した円環状の第２の溝との間に設けると共に、前記第２の溝は、前記基台ユニット上部の円環形状のレール部に設け、前記リング体は、前記レール部と所定の距離を有することを特徴とする請求項２から５のいずれかに記載の送風装置。
【発明の詳細な説明】
【技術分野】
【０００１】
本発明は、例えば室内において首振り機構を持つ、いわゆる扇風機のような送風装置に関する。
【背景技術】
【０００２】
従来、送風装置の構造は、基台ユニットと、この基台ユニットの上部に回転自在に設けた送風手段と、この送風手段を回動する首振り手段とからなり、前記首振り手段は、前記送風手段に設けたギアー部と、このギアー部を回転させるモータ部と、前記送風手段と前記基台ユニットとの間に設けたベアリング部とからなり、このベアリング部は、前記送風手段の下部に設けた下方へ開口した円環状の第１の溝と、基台ユニットの上部に備えた上方へ開口した円環状の第２の溝と、前記第１の溝と前記第２の溝との間に設けた複数の球状の球体とを備えたものが知られている（例えば、特許文献１参照）。
【先行技術文献】
【特許文献】
【０００３】
【特許文献１】特開昭６１−７８２９５号公報
【発明の概要】
【発明が解決しようとする課題】
【０００４】
上記従来例における課題は、更なる可動性の向上である。
【０００５】
従来の物においては、基台ユニットの上部に備えた上方へ開口した円環状の第２の溝に、複数の球状の球体を所定の位置に入れ、送風装置の下部に設けた下方へ開口した円環状の第１の溝に、第２の溝の複数の球状の球体が入るように、基台ユニットに送風装置を装着するものである。
【０００６】
このような構成において、首振り手段によって送風手段を回動すると、球体が第１の溝と第２の溝との間を転がることにより、送風手段が回動するものである。ところが、この送風手段の回動を繰り返すと、球体が所定の位置からずれる場合がある。すなわち、球体が特定の位置に偏り、球体同士が擦れあい、可動性が低下する場合があった。
【０００７】
そこで、本発明は、球体が所定の位置からずれ、球体同士が擦れあうことを防止し、更なる可動性の向上を目的とするものである。
【課題を解決するための手段】
【０００８】
そして、この目的を達成するために、本発明の送風装置は、基台ユニットと、この基台ユニットの上部に回転自在に設けた送風手段と、この送風手段を回動する首振り手段とからなり、前記首振り手段は、前記送風手段に設けたギアー部と、このギアー部を回転させる首振モータ部と、前記送風手段と前記基台ユニットとの間に設けたベアリング部とからなり、このベアリング部は、上下方向が軸方向である円環板形状のリング体と、このリング体に装着された複数の球状の球体とを備え、これらの球体は、前記リング部の複数の球装着部分に装着され、これらの球装着部分は、前記リング体に設けた上下方向が軸方向である円柱形状の孔部と、この孔部の内面上部の一方側から前記孔部の中心方向へ伸びた第１の支持部と、前記孔部の内面下部の一方側から前記孔部の中心方向へ伸びた第２の支持部とからなり、前記孔部の上下方向の寸法は、前記球体の直径寸法より小さく、前記孔部の水平方向の内径寸法は、前記球体の直径寸法より大きく、前記孔部の一方側に位置する前記第１の支持部の先端である第１の先端部と、前記孔部の他方側の内面上部との距離は、前記球体の直径寸法より小さく、前記孔部の他方側に位置する前記第２の支持部の先端である第２の先端部と、前記孔部の一方側の内面下部との距離は、前記球体の直径寸法より小さいことを特徴とする。
【発明の効果】
【０００９】
本発明によれば、基台ユニットと、この基台ユニットの上部に回転自在に設けた送風手段と、この送風手段を回動する首振り手段とからなり、前記首振り手段は、前記送風手段に設けたギアー部と、このギアー部を回転させる首振モータ部と、前記送風手段と前記基台ユニットとの間に設けたベアリング部とからなり、このベアリング部は、上下方向が軸方向である円環板形状のリング体と、このリング体に装着された複数の球状の球体とを備え、これらの球体は、前記リング部の複数の球装着部分に装着され、これらの球装着部分は、前記リング体に設けた上下方向が軸方向である円柱形状の孔部と、この孔部の内面上部の一方側から前記孔部の中心方向へ伸びた第１の支持部と、前記孔部の内面下部の一方側から前記孔部の中心方向へ伸びた第２の支持部とからなり、前記孔部の上下方向の寸法は、前記球体の直径寸法より小さく、前記孔部の水平方向の内径寸法は、前記球体の直径寸法より大きく、前記孔部の一方側に位置する前記第１の支持部の先端である第１の先端部と、前記孔部の他方側の内面上部との距離は、前記球体の直径寸法より小さく、前記孔部の他方側に位置する前記第２の支持部の先端である第２の先端部と、前記孔部の一方側の内面下部との距離は、前記球体の直径寸法より小さいことを特徴とする。
【００１０】
このように、孔部の上下方向の寸法は、球体の直径寸法より小さく、孔部の水平方向の内径寸法は、球体の直径寸法より大きく、孔部の一方側に位置する第１の支持部の先端である第１の先端部と、孔部の他方側の内面上部との距離は、球体の直径寸法より小さく、孔部の他方側に位置する第２の支持部の先端である第２の先端部と、孔部の一方側の内面下部との距離は、球体の直径寸法より小さいので、球装着部分に球体を可動自在に装着できる。
【００１１】
すなわち、球体は、第１の支持部および第２の支持部とによって孔部から抜け落ちないものであると共に、孔部内では、上下方向および水平方向へ可動自在である吹出口１２ので、球体は、孔部内で、送風手段の第１の溝と、基台部の第２の溝とに接触しながら回転できるものである。結果として、球体を所定の位置に可動自在に装着でき、球体が所定の位置からずれ、球体同士が擦れあうことを防止し、更なる可動性の向上ができるものである。
【図面の簡単な説明】
【００１２】
【図１】本発明の実施の形態１の送風装置の斜視図
【図２】同送風装置の垂直断面図
【図３】同送風装置の垂直断面の斜視図
【図４】同送風装置のベアリング部の垂直断面図
【図５】同送風装置のギアーと歯車の斜視図
【図６】同送風装置のリング体の斜視図
【図７】同送風装置のリング体の球装着部分の正面図
【図８】同送風装置のリング体の球装着部分の正面図
【図９】同送風装置のリング体と球体のＡ−Ａ断面図
【図１０】同送風装置のリング体と球体のＢ−Ｂ断面図
【図１１】同送風装置のリング体と球体のＣ−Ｃ断面図
【発明を実施するための形態】
【００１３】
以下、本発明の実施の形態について図面を参照しながら説明する。
【００１４】
（実施の形態１）
図１は、本発明の実施の形態１の送風装置の斜視図である。図２、３は、図１を垂直平面により切断した断面図である。
【００１５】
図１から図３に示すように送風装置１は、基台ユニット２と、この基台ユニット２の上部に回転自在に設けた送風手段３と、この送風手段３を回動する首振り手段４とからなる。
【００１６】
基台ユニット２は、上方が開口した椀形状で、側面に吸込口５を有する基台部７と、この基台部７の上端に設けた円環形状のレール部６とからなる。このレール部６は、垂直断面形状がＬ形状であり、レール内周部６ａよりレール外周部６ｂの上下寸法が大きい形状である。
【００１７】
送風手段３は、略円筒形状の本体ケース９と、この本体ケース９内に設けられた送風部１０と、本体ケース９の上部に備えた略円筒形状の吹出ノズル１１と、本体ケース９の下部に設けたレール受け部１９とからなる。
【００１８】
本体ケース９は、上下方向が軸方向である円筒形状で、上方の開口である上開口４４は、下方の開口である下開口４３より小さいものである。この上開口４４が、吹出ノズル１１に連通する。本体ケース９の下開口４３の内周縁には、レール部６に対向した円環形状のレール受け部１９を備えている。レール受け部１９は、内周側で下方に開口した溝である内周側レール受け溝部２０と、外周側で下方に開口した溝である外周側レール受け溝部２１とを有する。この外周側レール受け溝部２１は、レール外周部６ｂに回動自在に嵌る構成である。
【００１９】
吹出ノズル１１は、上面が閉塞した円筒形状で、一方側の側周面には、複数のを備えている。
【００２０】
送風部１０は、本体ケース９内に固定されたファンモータ１３と、ファンモータ１３から鉛直方向に下方へ伸びた回転軸１４に固定されたターボファン１５と、ファンモータ１３とターボファン１５とを囲うように設けたケーシング１６とからなる。ケーシング１６は、上面には、本体ケース９の上開口４４に連通する吐出口１８を有し、下面には、基台部７側面の吸込口５と連通した給気口１７を備えている。この給気口１７の上方に、ターボファン１５を設けている。
【００２１】
ファンモータ１３によって、ターボファン１５が回転すると、基台部７側面の吸込口５から空気が吸い込まれ、ケーシング１６の給気口１７を介して、ケーシング１６内へ送風される。このケーシング１６内へ送風された空気は、ターボファン１５の下面から吸い込まれ、ターボファン１５の半径方向へ吹き出され、ケーシング１６内のファンモータ１３の周囲を囲むように流れる。そして、ケーシング１６の吐出口１８から、本体ケース９の上開口４４を介して、吹出ノズル１１内へ送風される。この吹出ノズル１１内へ送風した空気は、吹出ノズル１１の吹出口１２から吹き出される。
【００２２】
首振り手段４は、送風手段３に設けたギアー部２２と、このギアー部２２を回転させる首振モータ部２３と、送風手段３と基台ユニット２との間に設けたベアリング部２４とから構成している。
【００２３】
ギアー部２２は、図５に示すように、円環形状で、ケーシング１６の下端に設けられている。ギアー部２２の外周側面には、ギアー２５を有している。
【００２４】
首振モータ部２３は、首振モータ２６と、この首振モータ２６によって回転する歯車２７とからなる。この歯車２７の回転が、ギアー部２２のギアー２５を介して、ケーシング１６に固定されている本体ケース９を回動させる。
【００２５】
ベアリング部２４は、図４に示すように、第１の溝３０と、第２の溝３１と、リング体２８と、複数の球体２９とから構成している。
【００２６】
第１の溝３０は、送風手段３である本体ケース９の下部の内周側レール受け溝部２０の下面で、下方へ開口した円環状の溝である。第２の溝３１は、基台部７の上部のレール内周部６ａの上面で、上方へ開口した円環状の溝である。
【００２７】
リング体２８は、これら第１の溝３０と第２の溝３１との間に設けられ、上下方向が軸方向である円環板形状である。リング体２８の材質は、樹脂である。球体２９は、球状で、リング体２８の複数の球装着部分３２に回動自在に装着されている。球体２９の材質は、金属である。この球体２９が、第１の溝３０と、第２の溝３１とに接触しながら回転することにより、送風手段３が基台ユニット２の上部で回動できるものである。
【００２８】
本実施形態においての特徴は、球装着部分３２の構造である。図６から図１１に示すように、これらの球装着部分３２は、孔部３３と、第１の支持部３４と、第２の支持部３５とから構成している。孔部３３は、リング体２８に設けた上下方向が軸方向である円柱形状である。第１の支持部３４は、孔部３３の内面上部の一方側から孔部３３の中心方向へ伸びた突起である。第２の支持部３５は、孔部３３の内面下部の一方側から孔部３３の中心方向へ伸びた突起である。
【００２９】
ここで、孔部３３の上下方向の寸法は、球体２９の直径寸法より小さいものである。孔部３３の水平方向の内径寸法は、球体２９の直径寸法より大きいものである。孔部３３の一方側に位置する第１の支持部３４の先端である第１の先端部３６と、孔部３３の他方側の内面上部との距離は、球体２９の直径寸法より小さいものである。孔部３３の他方側に位置する第２の支持部３５の先端である第２の先端部３７と、孔部３３の一方側の内面下部との距離は、球体２９の直径寸法より小さいものである。
【００３０】
具体的には、孔部３３の上下方向の寸法は、リング体２８の上下方向の厚み寸法と同じである。孔部３３の水平方向の内径寸法は、図１０の点Ａと点Ｂとの距離である。孔部３３の一方側に位置する第１の支持部３４の先端である第１の先端部３６と、孔部３３の他方側の内面上部との距離は、図１０の点Ｃと点Ｄとの距離である。孔部３３の他方側に位置する第２の支持部３５の先端である第２の先端部３７と、孔部３３の一方側の内面下部との距離は、図１０の点Ｅと点Ｆとの距離である。
【００３１】
つまり、リング体２８の上下方向の厚み寸法である孔部３３の上下方向の寸法は、球体２９の直径寸法より小さいものである。孔部３３の水平方向の内径寸法である点Ａと点Ｂとの距離は、球体２９の直径寸法より大きいものである。孔部３３の一方側に位置する第１の支持部３４の先端である第１の先端部３６と、孔部３３の他方側の内面上部との距離である点Ｃと点Ｄとの距離は、球体２９の直径寸法より小さいものである。孔部３３の他方側に位置する第２の支持部３５の先端である第２の先端部３７と、孔部３３の一方側の内面下部との距離である点Ｅと点Ｆとの距離は、球体２９の直径寸法より小さいものである。
【００３２】
すなわち、球体２９は、第１の支持部３４および第２の支持部３５とによって孔部３３から抜け落ちないものであると共に、孔部３３内では、上下方向および水平方向へ可動自在であるので、球体２９は、孔部３３内で、送風手段３の第１の溝３０と、基台ユニット２の第２の溝３１とに接触しながら回転できるものである。結果として、球体２９を所定の位置に可動自在に装着でき、球体２９が所定の位置からずれ、球体同士が擦れあうことを防止し、更なる可動性の向上ができるものである。
【００３３】
また、円柱形状の孔部３３は、孔部３３の一方側に位置すると共に水平断面形状が半円形状である半円柱形状の一方側孔部３８と、孔部３３の他方側に位置すると共に水平断面形状が半円形状である半円柱形状の他方側孔部３９とから構成している。そして、第１の支持部３４は、一方側孔部３８内に位置し、第２の支持部は、他方側孔部３９内に位置するものである。
【００３４】
具体的には、リング体２８の第１の支持部３４は、孔部３３の内面上部の一方側から孔部３３の中心方向へ伸びると共に、一方側孔部３８内に位置する。リング体２８の第２の支持部３５は、孔部３３の内面下部の一方側から孔部３３の中心方向へ伸びると共に、他方側孔部３９内に位置する。結果として、リング体２８の上面から見て、第１の支持部３４と第２の支持部３５とが、重ならないものである。これにより、リング体２８を樹脂成型する場合に、リング体２８の下面から一方側孔部３８内に上方へ伸びる一方側金型と、リング体２８の上面から他方側孔部３９内に下方へ伸びる他方側金型とで、射出成型が可能となる。
【００３５】
また、第１の支持部３４の上面は、リング体２８の上面と同一面であり、第２の支持部３５の下面は、リング体２８の下面と同一面である。これにより、金型の構造が単純になる。
【００３６】
また、第１の支持部３４と第２の支持部３５とは同形状である。これにより、リング体２８は、上下方向に向きが無いので、組立性が向上する。
【００３７】
また、リング体２８には、孔部３３からリング体２８の円周方向、つまり回動方向へ伸びるスリット部４０を有するものである。このスリット部４０は、リング体２８の上面から見て、孔部３３からリング体２８の円周方向へ時計回りに所定の距離伸びる一方側スリット部４１と、リング体２８の上面から見て、孔部３３からリング体２８の円周方向へ時計と反対回りに所定の距離伸びる他方側スリット部４２とからなる。
【００３８】
これにより、リング体２８の孔部３３に球体２９を装着する場合に、スリット部４０によって、孔部３３が広がり易くなり、球体２９の装着が容易になる。
【００３９】
また、スリット部４０は、孔部３３の中心からリング体２８の円周方向へ、つまり回動方向へ伸びるものである。
【００４０】
このスリット部４０は、リング体２８の上面から見て、孔部３３の中心からリング体２８の円周方向へ時計回りに伸びる一方側スリット部４１と、リング体２８の上面から見て、孔部３３の中心からリング体２８の円周方向へ時計と反対回りに伸びる他方側スリット部４２とからなる。
【００４１】
このように、スリット部４０は、孔部３３の中心からリング体２８の回動方向へ伸びるものである。すなわち、リング体２８が回動する場合に、球体２９が、第１の溝３０と、第２の溝３１とに接触しながら回転する。ここで、球体２９の回転中心は、水平面における回動方向に対する垂直面上に位置するので、球体２９の表面で回転速度が最も大きくなる部分にスリット部４０が位置するものである。これにより、球体２９の表面で回転速度が最も大きくなる部分と、孔部３３とが接触しないので、リング体２８回動時の摩擦抵抗を抑制することができる。
【００４２】
また、一方側孔部３８は、リング体２８の円周方向における孔部３３の中心から一方側に位置する構成で、他方側孔部３９は、リング体２８の円周方向における孔部３３の中心から他方側位置する構成である。
【００４３】
これにより、リング体２８を樹脂成型する場合に、リング体２８の下面から一方側孔部３８内と一方側スリット部４１内に上方へ伸びる一方側金型と、リング体２８の上面から他方側孔部３９内と他方側スリット部４２内に下方へ伸びる他方側金型とで、射出成型が可能となる。
【００４４】
また、複数の球体２９を装着したリング体２８は、送風手段３の下部に設けた下方へ開口した円環状の第１の溝３０と、基台ユニット２の上部に備えた上方へ開口した円環状の第２の溝３１との間に設けられる。この第２の溝３１は、基台部７上部の円環形状のレール部６に設け、リング体２８は、レール部６と所定の距離を有するものである。
【００４５】
すなわち、リング体２８は、球体２９に孔部３３と第１の支持部３４とによって、基台部７のレール部６と所定の距離を有して引っ掛かるものである。これにより、球体２９は、第１の溝３０と、第２の溝３１とに接触しながら回転する。一方、リング体２８は、基台部７のレール部６に接触することなく回動するので、可動性の向上ができるものである。
【産業上の利用可能性】
【００４６】
本発明によれば、基台ユニットと、この基台ユニットの上部に回転自在に設けた送風手段と、この送風手段を回動する首振り手段とからなり、前記首振り手段は、前記送風手段に設けたギアー部と、このギアー部を回転させる首振モータ部と、前記送風手段と前記基台ユニットとの間に設けたベアリング部とからなり、このベアリング部は、上下方向が軸方向である円環板形状のリング体と、このリング体に装着された複数の球状の球体とを備え、これらの球体は、前記リング部の複数の球装着部分に装着され、これらの球装着部分は、前記リング体に設けた上下方向が軸方向である円柱形状の孔部と、この孔部の内面上部の一方側から前記孔部の中心方向へ伸びた第１の支持部と、前記孔部の内面下部の一方側から前記孔部の中心方向へ伸びた第２の支持部とからなり、前記孔部の上下方向の寸法は、前記球体の直径寸法より小さく、前記孔部の水平方向の内径寸法は、前記球体の直径寸法より大きく、前記孔部の一方側に位置する前記第１の支持部の先端である第１の先端部と、前記孔部の他方側の内面上部との距離は、前記球体の直径寸法より小さく、前記孔部の他方側に位置する前記第２の支持部の先端である第２の先端部と、前記孔部の一方側の内面下部との距離は、前記球体の直径寸法より小さいことを特徴とする。
【００４７】
このように、孔部の上下方向の寸法は、球体の直径寸法より小さく、孔部の水平方向の内径寸法は、球体の直径寸法より大きく、孔部の一方側に位置する第１の支持部の先端である第１の先端部と、孔部の他方側の内面上部との距離は、球体の直径寸法より小さく、孔部の他方側に位置する第２の支持部の先端である第２の先端部と、孔部の一方側の内面下部との距離は、球体の直径寸法より小さいので、球装着部分に球体を可動自在に装着できる。
【００４８】
すなわち、球体は、第１の支持部および第２の支持部とによって孔部から抜け落ちないものであると共に、孔部内では、上下方向および水平方向へ可動自在であるので、球体は、孔部内で、送風手段の第１の溝と、基台部の第２の溝とに接触しながら回転できるものである。結果として、球体を所定の位置に可動自在に装着でき、球体が所定の位置からずれ、球体同士が擦れあうことを防止し、更なる可動性の向上ができるものである。
【００４９】
したがって、家庭用や事務用、公共空間などの、送風装置としての活用が期待されるものである。
【符号の説明】
【００５０】
１    送風装置
２    基台ユニット
３    送風手段
４    首振り手段
５    吸込口
６    レール部
６ａ  レール内周部
６ｂ  レール外周部
７    基台部
９    本体ケース
１０    送風部
１１    吹出ノズル
１２    吹出口
１３    ファンモータ
１４    回転軸
１５    ターボファン
１６    ケーシング
１７    給気口
１８    吐出口
１９    レール受け部
２０    内周側レール受け溝部
２１    外周側レール受け溝部
２２    ギアー部
２３    首振モータ部
２４    ベアリング部
２５    ギアー
２６    首振モータ
２７    歯車
２８    リング体
２９    球体
３０    第１の溝
３１    第２の溝
３２    球装着部分
３３    孔部
３４    第１の支持部
３５    第２の支持部
３６    第１の先端部
３７    第２の先端部
３８    一方側孔部
３９    他方側孔部
４０    スリット部
４１    一方側スリット部
４２    他方側スリット部
４３    下開口
４４    上開口
【図１】
2014190221.tif 000003
【図２】
2014190221.tif 000004
【図３】
2014190221.tif 000005
【図４】
2014190221.tif 000006
【図５】
2014190221.tif 000007
【図６】
2014190221.tif 000008
【図７】
2014190221.tif 000009
【図８】
2014190221.tif 000010
【図９】
2014190221.tif 000011
【図１０】
2014190221.tif 000012
【図１１】
2014190221.tif 000013